(57)【要約】【課題】スライドバルブの異常が迅速かつ確実に検出できて、重大な故障が回避できるスクリュー圧縮機を提供すること。【解決手段】モータで回転駆動されるスクリュー２と、パイロット弁体２０に追従するピストン１０を有するシリンダ１２を介して軸方向に駆動されるスライドバルブ６とを備えるスクリュー圧縮機において、シリンダ１２の室１５を、電磁開閉弁２５が開設された低圧配管２４で低圧ＬＰ側に連通する。制御部は、電磁開閉弁２５を開放してスライドバルブ６を低負荷の第１の状態に移動し、容量を最大容量の１２％にして、モータの第１電流値Ａを検出する。また、電磁開閉弁２５を閉じ、パイロット弁体２０に倣ってスライドバルブ６を第２の状態に移動して、モータの第２電流値Ｂを検出する。第２電流値Ｂが第１電流値Ａ以下の場合、制御部はモータの供給電力を遮断して、スクリュー圧縮機を停止する。【選択図】　図１
2004132343.tif 000002
【特許請求の範囲】
【請求項１】
ケーシング（１）内でスクリュー（２）が回転すると共に、スライドバルブ（６）で容量を制御するスクリュー圧縮機において、
上記スクリュー（２）を駆動するモータの電流の値を検出する電流センサと、
上記スライドバルブ（６）を駆動するピストン（１０）を有するシリンダ（１２）と、
上記ピストン（１０）が追従するパイロット弁体（２０）と、
上記シリンダ（１２）のピストン（１０）の一方の側の室（１５）と低圧側とを連通する通路（２４）に設けられた開閉弁（２５）と、
上記開閉弁（２５）を開放して、上記シリンダ（１２）の上記一方の室（１５）を低圧側に連通させて、上記シリンダ（１２）を介して上記スライドバルブ（６）を低負荷である第１の状態に位置させたときに上記電流センサが検出する第１電流値と、上記開閉弁（２５）を閉じ、かつ、上記パイロット弁体（２０）を駆動して、上記スライドバルブ（６）を所定の負荷である第２の状態に位置するようにしたときに上記電流センサが検出する第２電流値とについて、上記第１電流値に対して上記第２電流値が所定の関係にない場合、上記モータへの電力の供給を遮断する制御部と
を備えることを特徴とするスクリュー圧縮機。
【請求項２】
請求項１に記載のスクリュー圧縮機において、
上記スライドバルブ（６）が第１の状態に位置するとき、容量が最大容量に対して１２％であることを特徴とするスクリュー圧縮機。
【請求項３】
請求項１または２に記載のスクリュー圧縮機において、
上記第２電流値は、上記開閉弁（２５）を閉じた時点から所定時間後に、上記電流センサが検出する電流値であることを特徴とするスクリュー圧縮機。
【請求項４】
請求項１乃至３のいずれか１つに記載のスクリュー圧縮機において、
上記制御部は、上記第２電流値が第１電流値以下である場合、上記モータへの電力の供給を遮断することを特徴とするスクリュー圧縮機。
【請求項５】
請求項１乃至４のいずれか１つに記載のスクリュー圧縮機において、
上記制御部は、上記第２電流値が、上記第１電流値に第１係数を乗じた値以上である場合、上記モータへの電力の供給を遮断することを特徴とするスクリュー圧縮機。
【請求項６】
請求項１乃至５のいずれか１つに記載のスクリュー圧縮機において、
上記制御部は、上記第２電流値が、上記第１電流値に第２係数を乗じた値以下である場合、上記モータへの電力の供給を遮断することを特徴とするスクリュー圧縮機。
【発明の詳細な説明】
【０００１】
【発明の属する技術分野】
本発明は、スクリュー圧縮機に関する。
【０００２】
【従来の技術】
従来より、例えば冷凍装置では、圧縮機と、凝縮器と、膨張弁と、蒸発器とを順に接続し、上記凝縮器と膨張弁との間と、上記圧縮機の圧縮部との間をインジェクション配管で接続している。このインジェクション配管にインジェクション膨張弁を介設し、このインジェクション膨張弁の開度を、上記圧縮機の吐出ガス温度に基いて制御している。これによって、上記圧縮機の圧縮部に適量の液冷媒をインジェクションし、上記圧縮機の吐出ガス温度を所定温度以下にして、上記圧縮機が異常高温になって故障することを防止している。このような圧縮機には、従来、異常検出装置を備えたものがある（例えば特許文献１参照）。この圧縮機の異常検出装置は、上記圧縮機の吐出ガス温度の上昇勾配と、上記圧縮機の吐出ガス圧力の上昇勾配とを演算し、上記吐出ガス温度の上昇勾配が所定値よりも大きく、かつ、上記吐出ガス圧力の上昇勾配が所定値よりも小さいときに、上記圧縮機を停止する。これによって、上記圧縮機が異常高温に達する前に、上記インジェクション膨張弁およびこの膨張弁の制御系の異常を検出して圧縮機を停止して、上記圧縮機の故障を回避するようにしている。
【０００３】
【特許文献１】
特開平２−４３９４０号公報（第１図）
【０００４】
【発明が解決しようとする課題】
しかしながら、上記従来の圧縮機は、スクリュー圧縮機のような容量制御を行なう圧縮機である場合、容量制御のためのスライドバルブの異常が、上記異常検出装置では検出し難いという問題がある。上記スライドバルブの異常によって、例えば容量が過大の状態で運転が継続された場合、過大な負荷でモータが焼き付きを生じる等のような重大な故障に至る虞がある。
【０００５】
そこで、本発明の目的は、スライドバルブの異常が迅速かつ確実に検出できて、重大な故障が回避できるスクリュー圧縮機を提供することにある。
【０００６】
【課題を解決するための手段】
上記目的を達成するため、請求項１の発明のスクリュー圧縮機は、ケーシング内でスクリューが回転すると共に、スライドバルブで容量を制御するスクリュー圧縮機において、
上記スクリューを駆動するモータの電流の値を検出する電流センサと、
上記スライドバルブを駆動するピストンを有するシリンダと、
上記ピストンが追従するパイロット弁体と、
上記シリンダのピストンの一方の側の室と低圧側とを連通する通路に設けられた開閉弁と、
上記開閉弁を開放して、上記シリンダの上記一方の室を低圧側に連通させて、上記シリンダを介して上記スライドバルブを低負荷である第１の状態に位置させたときに上記電流センサが検出する第１電流値と、上記開閉弁を閉じ、かつ、上記パイロット弁体を駆動して、上記スライドバルブを所定の負荷である第２の状態に位置するようにしたときに上記電流センサが検出する第２電流値とについて、上記第１電流値に対して上記第２電流値が所定の関係にない場合、上記モータへの電力の供給を遮断する制御部と
を備えることを特徴としている。
【０００７】
請求項１のスクリュー圧縮機によれば、上記制御部によって、上記開閉弁が開放され、上記シリンダの上記一方の室が低圧側に連通され、これによって、上記ピストンが上記スライドバルブを低負荷である第１の状態に確実に位置させる。これによって、スクリュー圧縮機の容量が、確実に低負荷の第１の状態に対応する容量になる。このとき、上記電流センサによって、上記スクリューを駆動するモータに流れる電流の値である第１電流値が検出される。一方、上記開閉弁が閉じられ、上記シリンダの上記一方の室が低圧側と遮断され、かつ、上記パイロット弁体が駆動される。このパイロット弁体に追従する上記ピストンが、上記スライドバルブを所定の負荷である第２の状態に位置させる。このとき、上記電流センサによって、上記モータに流れる電流の値である第２電流値が検出される。
【０００８】
ここにおいて、上記開閉弁が閉じられ、かつ、上記パイロット弁体が駆動されたにも拘らず、上記スライドバルブが、例えば異物の噛み込み等の異常によって殆ど移動しない場合、スクリュー圧縮機の容量が増大しないので、上記スクリューを駆動するモータの負荷が殆ど変化しない。したがって、上記第２電流値は第１電流値と殆ど変化しない。一方、上記スライドバルブが、例えば、上記パイロット弁体の駆動による適切移動位置を超えて、高負荷側に異常に移動した場合、スクリュー圧縮機の容量が所定容量よりも大きくなる。したがって、上記スクリューを駆動するモータの負荷が所定負荷よりも大きくなるので、上記第２電流値が、上記第１電流値と比較して過大になる。このように、上記第１電流値に対して上記第２電流値が所定の関係にあるか否かが判定されることによって、上記スライドバルブに異常が生じているか否かが確実に判定される。
【０００９】
上記第１電流値に対して上記第２電流値が所定の関係にない場合、上記制御部によって、上記モータへの電力の供給が遮断される。したがって、上記スライドバルブに関する異常が迅速かつ確実に検出され、また、スライドバルブが異常のまま運転が継続されてスクリュー圧縮機が重大な故障に至ることが、有効に回避される。
【００１０】
請求項２の発明のスクリュー圧縮機は、請求項１に記載のスクリュー圧縮機において、
上記スライドバルブが第１の状態に位置するとき、容量が最大容量に対して１２％であることを特徴としている。
【００１１】
請求項２のスクリュー圧縮機によれば、上記スライドバルブが第１の状態に位置するとき、容量が最大容量に対して１２％であるので、この１２％の容量から所定容量になるようにスライドバルブを駆動しようとした場合における上記スライドバルブの異常が、迅速かつ正確に検出される。
【００１２】
請求項３の発明のスクリュー圧縮機は、請求項１または２に記載のスクリュー圧縮機において、
上記第２電流値は、上記開閉弁を閉じた時点から所定時間後に、上記電流センサが検出する電流値であることを特徴としている。
【００１３】
請求項３のスクリュー圧縮機によれば、上記開閉弁を閉じた時点から所定時間後に、上記電流センサよって第２電流値が検出され、この第２電流値が上記第１電流値に対して所定の関係にあるか否かが上記制御部によって判定される。上記所定時間を、上記スライドバルブが所定位置に移動するのに十分な時間に設定することによって、上記スライドバルブが上記所定位置に移動したか否かが正確に検出され、このスライドバルブの異常が確実に検出される。
【００１４】
請求項４の発明のスクリュー圧縮機は、請求項１乃至３のいずれか１つに記載のスクリュー圧縮機において、
上記制御部は、上記第２電流値が第１電流値以下である場合、上記モータへの電力の供給を遮断することを特徴としている。
【００１５】
請求項４のスクリュー圧縮機によれば、上記第２電流値が第１電流値以下である場合、上記スライドバルブを第２の状態に位置するようにしたときのモータの負荷が、上記低負荷の第１の状態におけるモータの負荷よりも増大していない。したがって、スクリュー圧縮機の容量が第１の状態から増大していないことが検出されて、上記スライドバルブが移動していないことが検出される。このスライドバルブの動作の異常が検出された場合、上記モータへの電力の供給が遮断されて、スクリュー圧縮機の重大な故障が回避される。
【００１６】
請求項５に発明のスクリュー圧縮機は、請求項１乃至４のいずれか１つに記載のスクリュー圧縮機において、
上記制御部は、上記第２電流値が、上記第１電流値に第１係数を乗じた値以上である場合、上記モータへの電力の供給を遮断することを特徴としている。
【００１７】
請求項５のスクリュー圧縮機によれば、例えば、上記スライドバルブが第２の状態に位置した場合、上記モータが実際に受ける最大負荷のときの第２電流値について、この第２電流値の第１電流値に対する割合を、上記第１係数に設定する。これによって、上記第２電流値が、上記第１電流値に第１係数を乗じた値以上である場合、スライドバルブが上記第２の状態の位置よりも高容量側に過剰に移動したことが、確実に検出される。このスライドバルブの過剰な移動が検出された場合、上記モータへの電力の供給が遮断されて、スクリュー圧縮機の重大な故障が効果的に回避される。
【００１８】
請求項６の発明のスクリュー圧縮機は、請求項１乃至５のいずれか１つに記載のスクリュー圧縮機において、
上記制御部は、上記第２電流値が、上記第１電流値に第２係数を乗じた値以下である場合、上記モータへの電力の供給を遮断することを特徴としている。
【００１９】
請求項６のスクリュー圧縮機によれば、例えば、上記スライドバルブが第２の状態に位置した場合、上記モータが実際に受ける最小負荷のときの第２電流値について、この第２電流値の第１電流値に対する割合を、上記第２係数に設定する。これによって、上記第２電流値が、上記第１電流値に第１係数を乗じた値以下である場合、スライドバルブの移動量が過小であって上記第２の状態の位置に達していないことが、確実に検出される。このスライドバルブの過小な移動が検出された場合、上記モータへの電力の供給が遮断されて、スクリュー圧縮機の重大な故障が効果的に回避される。
【００２０】
【発明の実施の形態】
以下、本発明を図示の実施の形態により詳細に説明する。
【００２１】
図１は、本発明のスクリュー圧縮機を示す断面図である。このスクリュー圧縮機は、ケーシング１内にスクリュー２を収容し、このスクリュー２は、回転軸３を介して図示しないモータで回転駆動されるように形成されている。上記スクリュー２の外周側に、このスクリュー２の圧縮開始位置を制御して容量を制御するスライドバルブ６を設けている。このスライドバルブ６は、スクリュー２側以外の三方をケーシング１に囲まれている。上記スライドバルブ６は、軸方向の両端面に、冷媒や冷凍機油からなる流体の低圧ＬＰと高圧ＨＰを各々受けて、矢印Ｘで示すように左方に付勢されている。上記スライドバルブ６は、連結部材８およびロッド９を介して、シリンダ１２のピストン１０に連結されている。このピストン１０の両側に室１４，１５を形成し、各室１４，１５を図示しない絞りによって高圧ＨＰ側に連通している。
【００２２】
上記ピストン１０に関してロッド９の反対側には、このロッド９の軸と略一直線上に位置する軸を有する突出部１７が一体に形成されている。上記ロッド９、ピストン１０および突出部１７には、軸貫通孔１８が形成されている。この軸貫通孔１８の低圧ＬＰ側端は、上記スクリュー２の端面に形成された開口に連通するように形成されている。このスクリュー２の端面の開口は、このスクリュー２および回転軸３に形成されたスクリュー軸貫通孔２１を介して低圧ＬＰ側に連通している。また、上記ロッド９は、上記ピストン１０の連結部近傍に、径方向に延びて一端が室１５に開口する制御通路２２を備え、この制御通路２２の他端が、上記軸貫通孔１８に開口している。この軸貫通孔１８に、パイロット弁体２０を軸方向に摺動自在に嵌合している。このパイロット弁体２０は、高圧ＨＰ側に配置された図示しない駆動手段によって軸方向に駆動される。この駆動手段によって上記パイロット弁体２０を軸方向に駆動し、このパイロット弁体２０にピストンを追従させて、上記スライドバルブ６を所定位置に駆動するように形成している。
【００２３】
上記シリンダ１２の室１５は、通路としての低圧配管２４を介して低圧ＬＰ側に接続されている。この低圧配管２４に開閉弁としての電磁開閉弁２５を設け、この電磁開閉弁２５を開放して上記室１５を低圧ＬＰ側に連通し、あるいは、上記電磁開閉弁２５を閉じて上記室１５と低圧ＬＰ側との連通を遮断するようにしている。
【００２４】
上記スクリュー２は、インジェクション配管２６を介して液冷媒が供給される。すなわち、このスクリュー圧縮機と凝縮器と膨張弁と蒸発器とを順に接続してなる冷凍サイクルにおいて、上記凝縮器と膨張弁との間と、上記スクリュー２との間を、インジェクション開閉弁２７が介設されたインジェクション配管２６で接続している。上記インジェクション開閉弁２７を開放し、上記凝縮器で凝縮された比較的低温の液冷媒をスクリュー２に供給して、このスクリュー２が圧縮する冷媒ガスの温度調節を行なうようにしている。
【００２５】
このスクリュー圧縮機は、上記スクリュー２を回転駆動するモータの電流を検出する図示しない電流センサを備える。また、図示しない制御部を備え、この制御部によって、上記電流センサからの信号に基いて、上記スライドバルブ６の異常を検出するように形成されている。
【００２６】
図２は、上記構成のスクリュー圧縮機が起動され、冷凍サイクルの通常運転であるサーモ制御運転に移るまでの起動制御運転時に実行されるステップを示したフロー図である。また、図３は、スクリュー圧縮機の起動制御運転時の動作と、上記低圧配管２４の電磁開閉弁２５の動作とを、共通の時間軸を用いて示したフロー図である。図３において、横軸が時間軸ｔ（秒）である。
【００２７】
まず、時刻ｔ１において、スクリュー圧縮機のモータへの電力の供給が開始され、スクリューが回転駆動されて、スクリュー圧縮機が起動する（Ｓ１）。このとき、制御部のタイマカウンタが計時を開始する。また、上記制御部の制御の下で、上記低圧配管２４の電磁開閉弁２５が開放され、この低圧配管２４を介して、上記シリンダ１２の右方の室１５が低圧ＬＰ側に連通する。上記スクリュー２の動作によって高圧ＨＰ側の流体圧力が上昇するに伴って、上記ピストン１０の左方の室１４内の流体圧力が上昇する一方、右方の室１５は、低圧ＬＰ側に連通しているので流体圧力が殆ど上昇しない。その結果、上記シリンダ１２のピストン１０は、右方に付勢されて、上記スクリュー２から遠ざかるように駆動される。これによって、上記ピストン１０に連結されたロッド９および連結部材８を介して、スライドバルブ６が、低負荷である第１の状態の位置に駆動される。このスライドバルブ６が第１の状態に位置したとき、スクリュー圧縮機の容量は、最大容量に対して１２％の容量になる（Ｓ２）。本実施形態では、最大容量に対して１２％の容量を、スクリュー圧縮機の運転時の最小容量にしている。上記制御部は、上記タイマカウンタが３０秒を計時した時刻ｔ２で（Ｓ３）、上記モータの電流値である第１電流値を電流センサで検出する（Ｓ４）。この電流センサが検出した第１電流値Ａを、上記制御部のメモリに記憶する。上記タイマカウンタが３０秒を計時した時刻ｔ２で上記モータの電流値を検出することによって、このスクリュー圧縮機が確実に１２％容量で動作しているときの第１電流値Ａを検出する。
【００２８】
上記スクリュー圧縮機の起動時ｔ１から５０秒が経過すると、上記制御部は、上記電磁開閉弁２５を閉鎖する。これによって、上記シリンダ１２の室１５と低圧ＬＰ側との連通が遮断され、上記室１５内に、図示しない絞りを介して高圧ＨＰ側の流体が流入する。これによって、上記室１５内の流体圧力が上昇して、上記シリンダ１２のピストン１０に作用する右向きの付勢力が減少する。上記ピストン１０に連結されたスライドバルブ６には、矢印Ｘ方向の力が作用しているので、上記ピストン１０に作用する右向きの付勢力の減少に伴って、上記ピストン１０が、左方のスクリュー２側に向って移動を開始する。このとき、上記ピストン１０と一体に形成されたロッド９に形成された制御通路２２は、上記軸貫通孔１８に嵌合しているパイロット弁体２０によって、上記軸貫通孔１８との連通が遮断されている。上記ピストン１０が左方に所定量移動すると、上記制御通路２２の開口が、上記パイロット弁体２０の先端よりもスクリュー２側に位置するようになる。その結果、上記制御通路２２が軸貫通穴１８に連通して、上記室１５内の流体圧力が再び低下する。そして、上記スライドバルブ６に作用する力と、上記ピストン１０に作用する力とが釣り合って、上記ピストン１０およびスライドバルブ６が停止する。この上記ピストン１０およびスライドバルブ６の停止位置は、上記パイロット弁体２０の軸方向位置で設定され、このスライドバルブ６の停止位置において、スクリュー圧縮機の容量が最大容量に対して２５％になるように設定されている。
【００２９】
上記タイマカウンタが時刻ｔ１から１１０秒を計時した時刻ｔ３において（Ｓ５）、スクリュー圧縮機が２５％容量に達する（Ｓ６）。この時刻ｔ３で、タイマカウンタが０から計時をし直す。上記時刻ｔ３から、タイマカウンタが３０秒の経過を計時すると（Ｓ７）、制御部は電流センサに指令して、この時刻ｔ４におけるモータの電流値Ｂを検出させる（Ｓ８）。そして、上記時刻ｔ４におけるモータの電流値Ｂと、制御部のメモリに記憶している上記時刻ｔ２におけるモータの電流値Ａとを比較して、異常判定を行なう（Ｓ９）。
【００３０】
このステップＳ９では、上記制御部は、上記電流値Ａと電流値Ｂとについて、以下のような３つの式で表される比較を行って、異常判定を行なう。
Ａ≧Ｂ…（１）
Ａ×Ｃ≦Ｂ…（２）
Ａ×Ｄ≧Ｂ…（３）
ここで、Ｃは正常状態を示す最大係数であり、Ｄは正常状態を示す最小係数である。制御部は、上記電流値Ａと電流値Ｂとが式（１），（２），（３）を満たす場合、スクリュー圧縮機が異常であると判定する。
【００３１】
まず、上記電流値Ａと電流値Ｂとが式（１）を満たす場合、時刻ｔ４におけるモータ負荷が、時刻ｔ３におけるモータ負荷以下である。つまり、時刻ｔ４におけるスクリュー圧縮機の容量が、時刻ｔ３における容量から増大していない。したがって、スライドバルブ６が、例えば異物の噛み込みなどによって動作していないことが検知される。
【００３２】
次に、上記電流値Ａと電流値Ｂとが式（２）を満たす場合、時刻ｔ４におけるモータ負荷が、時刻ｔ３におけるモータ負荷に基く所定負荷以上である。つまり、時刻ｔ４におけるスクリュー圧縮機の容量は、ｔ３における容量から過大に増加している。したがって、時刻ｔ３から時刻ｔ４に至る間のスライドバルブ６の移動量が過大であることが検知される。
【００３３】
また、上記電流値Ａと電流値Ｂとが式（３）を満たす場合、時刻ｔ４におけるモータ負荷が、時刻ｔ３におけるモータ負荷に基く所定負荷以下である。つまり、時刻ｔ４におけるスクリュー圧縮機の容量が、ｔ３における容量から比較して、増加量が少ない。したがって、時刻ｔ３から時刻ｔ４に至る間のスライドバルブ６の移動量が不足していることが検知される。
【００３４】
上記電流値Ａと電流値Ｂが、式（１），（２），（３）のいずれか１つを満たすとき、制御部は、上記モータに供給している電源を遮断し、スクリュー圧縮機を停止して、異常停止をする（Ｓ１０）。
【００３５】
上記電流値Ａと電流値Ｂが、式（１），（２），（３）のいずれも満たさない場合、タイマカウンタが上記時刻ｔ３から６０秒の経過を計時した（Ｓ１１）時刻ｔ５において、時刻ｔ１から行なわれた起動制御運転を終了し、冷凍サイクルのサーモ制御運転に移る（Ｓ１２）。
【００３６】
このように、本実施形態のスクリュー圧縮機は、上記電流値Ａと電流値Ｂとが所定の関係にあるか否かを判断することによって、スライドバルブに異常が生じているか否かを迅速かつ正確に判定できる。したがって、上記スクリュー圧縮機は、例えばモータの焼き付きなどが生じる前に停止するので、重大な故障が確実に回避できる。
【００３７】
上記実施形態において、スクリュー圧縮機の運転最小容量は最大容量に対して１２％の容量であるが、上記運転最小容量は最大容量に対して１２％に限られない。
【００３８】
また、上記容量制御機構を有する圧縮機は、スクリュー圧縮機以外の圧縮機でもよい。
【００３９】
また、上記制御部は、電流値Ａと電流値Ｂについて、上記式（１），（２），（３）以外の関係を満たす場合にスクリュー圧縮機が異常であると判断してもよい。
【００４０】
【発明の効果】
以上より明らかなように、請求項１のスクリュー圧縮機によれば、ケーシング内でスクリューが回転すると共に、スライドバルブで容量を制御するスクリュー圧縮機において、上記スクリューを駆動するモータの電流の値を検出する電流センサと、上記スライドバルブを駆動するピストンを有するシリンダと、上記ピストンが追従するパイロット弁体と、上記シリンダのピストンの一方の側の室と低圧側とを連通する通路に設けられた開閉弁と、上記開閉弁を開放して、上記シリンダの上記一方の室を低圧側に連通させて、上記シリンダを介して上記スライドバルブを低負荷である第１の状態に位置させたときに上記電流センサが検出する第１電流値と、上記開閉弁を閉じ、かつ、上記パイロット弁体を駆動して、上記スライドバルブを所定の負荷である第２の状態に位置するようにしたときに上記電流センサが検出する第２電流値とについて、上記第１電流値に対して上記第２電流値が所定の関係にない場合、上記モータへの電力の供給を遮断する制御部とを備えるので、上記制御部によって、上記スクリューを駆動するモータの負荷の変化、すなわち、スクリュー圧縮機の容量の変化が検知され、これによって、上記スライドバルブの異常が迅速かつ確実に検知できる。その結果、スライドバルブが異常のまま運転が継続されてスクリュー圧縮機が重大な故障に至ることが、有効に回避できる。
【００４１】
請求項２のスクリュー圧縮機によれば、上記スライドバルブが第１の状態に位置するとき、容量が最大容量に対して１２％であるので、この１２％の容量から所定容量になるようにスライドバルブを駆動しようとした場合における上記スライドバルブの異常が、迅速かつ正確に検出できる。
【００４２】
請求項３のスクリュー圧縮機によれば、上記第２電流値は、上記開閉弁を閉じた時点から所定時間後に、上記電流センサが検出する電流値であるので、上記所定時間を、上記スライドバルブが所定位置に移動するのに十分な時間に設定することによって、上記スライドバルブが上記所定位置に移動したか否かが正確に検出でき、このスライドバルブの異常が確実に検出できる。
【００４３】
請求項４のスクリュー圧縮機によれば、上記制御部は、上記第２電流値が第１電流値以下である場合、上記モータへの電力の供給を遮断するので、このスクリュー圧縮機の容量が第１の状態から増大していないこと、すなわち、上記スライドバルブが移動していないことが検出できて、このスライドバルブの動作が異常である場合、上記モータへの電力の供給を遮断して、このスクリュー圧縮機が重大な故障に至ることを回避できる。
【００４４】
請求項５のスクリュー圧縮機によれば、上記制御部は、上記第２電流値が、上記第１電流値に第１係数を乗じた値以上である場合、上記モータへの電力の供給を遮断するので、スライドバルブが上記第２の状態の位置よりも高容量側に過剰に移動したことが確実に検出され、また、このスライドバルブの過剰な移動が検出された場合、上記モータへの電力の供給を遮断して、このスクリュー圧縮機の重大な故障を効果的に回避できる。
【００４５】
請求項６のスクリュー圧縮機によれば、上記制御部は、上記第２電流値が、上記第１電流値に第２係数を乗じた値以下である場合、上記モータへの電力の供給を遮断するので、上記スライドバルブの移動量が過小であって上記第２の状態の位置に達していないことが、確実に検出でき、また、このスライドバルブの過小な移動が検出された場合、上記モータへの電力の供給を遮断して、スクリュー圧縮機の重大な故障を効果的に回避できる。
【図面の簡単な説明】
【図１】本発明の実施形態のスクリュー圧縮機を示す断面図である。
【図２】スクリュー圧縮機の起動時に実行されるステップを示したフロー図である。
【図３】スクリュー圧縮機の起動時の動作と、低圧配管の電磁開閉弁の動作とを、共通の時間軸を用いて示したフロー図である。
【符号の説明】
１　ケーシング
２　スクリュー
３　回転軸
６　スライドバルブ
８　連結部材
９　ロッド
１０　ピストン
１２　シリンダ
１４，１５　室
１７　突出部
１８　軸貫通孔
２０　パイロット弁体
２１　スクリュー軸貫通孔２１
２２　制御通路
２４　低圧配管
２５　電磁開閉弁
２６　インジェクション配管
２７　インジェクション開閉弁
【図１】
2004132343.tif 000003
【図２】
2004132343.tif 000004
【図３】
2004132343.tif 000005